(57)【要約】【課題】ユーザが記録媒体内のディレクトリ構成を確認する手間が省略でき、簡易かつ迅速に読取った画像データの保存をすることが可能な画像読取装置を提供する。【解決手段】原稿を読取って画像データを生成する読取手段と、記録媒体を装着する装着手段と上記記録媒体の装着を検知する検知手段と、上記検知手段の検知結果に基づいて、上記記録媒体内のディレクトリに設定されたファイル形式を検出する検出手段と、上記検出手段の検出結果に基づいて、上記読取手段を起動する起動手段と、上記読取手段が生成した画像データを、上記検出したファイル形式で、各ファイル形式に対応した上記ディレクトリに保存する保存手段とを設ける。【選択図】図１
2008034903.tif 000002
【特許請求の範囲】
【請求項１】
原稿を読取って画像データを生成する読取手段と、
記録媒体を装着する装着手段と
上記記録媒体の装着を検知する検知手段と、
上記検知手段の検知結果に基づいて、上記記録媒体内のディレクトリに設定されたファイル形式を検出する検出手段と、
上記検出手段の検出結果に基づいて、上記読取手段を起動する起動手段と、
上記読取手段が生成した画像データを、上記検出したファイル形式で、各ファイル形式に対応した上記ディレクトリに保存する保存手段と、
を備える画像読取装置。
【請求項２】
上記ファイル形式が複数設定されている場合に、上記保存手段が上記画像データを該複数のファイル形式で、各ファイル形式に対応した上記ディレクトリに保存する
請求項１に記載の画像読取装置。
【請求項３】
上記記録媒体内のディレクトリの設定に、上記ファイル形式に加え、画像データの解像度が含まれている場合に、
上記検出手段が、上記ディレクトリに設定された解像度を読み出し、
上記保存手段が、上記画像データを上記解像度に対応したディレクトリに保存する
請求項１に記載の画像読取装置。
【請求項４】
上記記録媒体内のディレクトリの設定に、上記ファイル形式に加え、色相、明度、彩度、色調のうち少なくとも一つの色情報が含まれている場合に、
上記検出手段が、上記ディレクトリに設定された上記色情報を読み出し、
上記保存手段が、上記画像データを上記色情報に対応したディレクトリに保存する
請求項１に記載の画像読取装置。
【発明の詳細な説明】
【技術分野】
【０００１】
本発明は、原稿を読取り画像データに変換するスキャナや複写機等の画像読取装置に関する。
【背景技術】
【０００２】
近年、読取った画像データをUSBストレージ等の記録媒体に保存できる、スキャナ等の画像読取装置が登場してきている。
【０００３】
図3は、このような画像読取装置30のブロック構成図である。USBストレージ等の記録媒体36内には、例えばpdf、tiff、png等の様々な画像データのファイル形式の設定されたディレクトリD(d1,d2,d3)が設けられている。これらのディレクトリDは、例えばパーソナルコンピュータによって作成しておくこともできるし、記録媒体36に標準装備されている場合もある。
【０００４】
この記録媒体36を装着手段(インターフェース)33に装着すると、選択手段32(メモリに格納されたプログラムである)はタッチパネル31に、図4に示すように、上記ディレクトリDの一覧表40を表示する。ここで、メッセージ41は、ユーザに、原稿を読取って保存する際の画像データのファイル形式を選択するよう、促している。なお、一覧表40の表示は、上記記録媒体36の装着により自動的に行われる場合と、ユーザのタッチパネル31の操作により手動で行われる場合とがある。
【０００５】
ここでユーザが、例えばボタン42「pdf」を選択し、ボタン43「読取開始」をタッチしたとする。すると開始手段34(メモリに格納されたプログラムである)は、CCD(Charge Coupled device)等の読取手段35による原稿の読取を開始する。そして、この読取手段35によって、ユーザが上記のように選択したpdf形式の画像データが作成され、これが装着手段33を介して、記録媒体36内のpdf形式の設定されたディレクトリd1に保存される。
【０００６】
このような機能を有する画像読取装置は、例えば下記の特許文献1や特許文献２に開示されている。
【特許文献１】特開２００４−１２００３２号公報
【特許文献２】特開２００３−２７４１０２号公報
【発明の開示】
【発明が解決しようとする課題】
【０００７】
しかし、上記の技術では、毎回原稿を読取るたびに、ユーザがディレクトリDの内部を確認し、画像データのファイル形式を指定して原稿の読取を行わなければならず、作業に手間がかかる。
【０００８】
本発明はこのような問題点に鑑みてなされたものであって、ユーザが記録媒体内のディレクトリ構成を確認する手間が省略でき、簡易かつ迅速に読取った画像データの保存をすることが可能な画像読取装置を提供することを目的とする。
【課題を解決するための手段】
【０００９】
以上の目的を達成するために、本発明では次のような手段を採用している。
【００１０】
まず、本発明の画像読取装置は、原稿を読取って画像データを生成する読取手段と、記録媒体を装着する装着手段とを備えている。
【００１１】
そして、このような画像読取装置において、上記記録媒体の装着を検知する検知手段と、上記検知手段の検知結果に基づいて、上記記録媒体内のディレクトリに設定されたファイル形式を検出する検出手段と、上記検出手段の検出結果に基づいて、上記読取手段を起動する起動手段とを設ける。これにより、ユーザがタッチパネル等の操作をすることなく、自動的にファイル形式の検出が開始される。そして、ファイル形式が検出されると読取手段が起動し、画像データが読み取られるのである。
【００１２】
次に、上記読取手段が生成した画像データを上記検出したファイル形式で、各ファイル形式に対応した上記ディレクトリに保存する保存手段を設ける。これにより自動的に、既存のディレクトリに設定されたファイル形式で画像データの保存が行われるのである。
【００１３】
特に、このファイル形式が複数存在する場合には、上記保存手段が画像データをこの複数のファイル形式で、各ファイル形式の設定されたディレクトリに保存するようにする。
【発明の効果】
【００１４】
以上により、ユーザが記録媒体内のディレクトリ構成を確認する手間が省略でき、既存のファイル形式若しくは指定したファイル形式により、簡易かつ迅速に読取った画像データの保存をすることが可能となる。
【発明を実施するための最良の形態】
【００１５】
以下、本発明を実施するための最良の形態について、図面を参照しながら詳細に説明する。
【００１６】
図１は、本発明の画像読取装置のブロック構成図である。なお、この図１において、上記背景技術と同様な動作を行う読取手段35等には、上記図3におけるものと同一の符号を付してある。
【００１７】
上記背景技術と同様に、USBストレージ等の記録媒体36内には、例えばpdf、tiff、png等の様々な画像データのファイル形式の設定された複数のディレクトリD(d1,d2,d3)が設けられている。ディレクトリとは、ファイルを分類整理するための保管場所をいう。したがって、ディレクトリと同様の概念であるフォルダを設けることもできる。
【００１８】
このディレクトリの設定は、例えばディレクトリ名にpdf、tiff、png等のファイル形式の名称を付することで行われる。なお、本実施形態のディレクトリ名には、上記ファイル形式に加えて、画像データの解像度や色情報も併せて付されている。ここで、色情報とは、色合いの違いを示す色相、明るさの違いを示す明度、鮮やかさの違いを示す彩度、明度と彩度を複合したとらえ方で色の印象を示す色調等をいう。したがって、図１に示すように、ディレクトリには例えば「pdf形式、解像度600dpi、色調monotone」、「png形式、解像度600dpi、色調sepia」等のディレクトリ名が付される。
【００１９】
これらのディレクトリDは、例えばパーソナルコンピュータによって作成しておくこともできるし、記録媒体36に標準装備されている場合もある。
【００２０】
この記録媒体36を装着手段(インターフェース)12に装着すると、この装着を検知した起動手段11(メモリに格納されたプログラムである)が、直ちにCCD(Charge Coupled device)等の読取手段35を起動して原稿の読取を開始し、画像データを生成する。なお、この検知は、例えば、上記装着による電気回路の抵抗値の変化などに基づいて行うことができる。
【００２１】
一方、検出手段13(メモリに格納されたプログラムである)は、記録媒体36内の pdf、tiff、png等の様々な画像データのファイル形式、解像度、色情報の設定されたディレクトリDを検出する。
【００２２】
この検出の技術は、パーソナルコンピュータ等において、特定のディレクトリ内のサブディレクトリを表示する場合と同様に行われる公知の技術である。
【００２３】
すると、保存手段14(メモリに格納されたプログラムである)は、上記の生成された画像データを、検出手段13が検出したディレクトリに、このディレクトリに設定されたファイル形式、解像度、色彩情報で保存する。
【００２４】
例えば、図1に示すように、ディレクトリDが「pdf形式、解像度600dpi、色調monotone」に設定されたディレクトリd1と、「tiff形式、解像度300dpi、色調natural」に設定されたディレクトリd2と、「png形式、解像度600dpi、色調sepia」に設定されたディレクトリd3とからなっているとする。このような場合に、保存手段14は上記各画像データを、ディレクトリd1には「pdf形式、解像度600dpi、色調monotone」で、ディレクトリd2には「tiff形式、解像度300dpi、色調natural」で、ディレクトリd3には「png形式、解像度600dpi、色調sepia」で、それぞれ保存するのである。
【００２５】
なお、ユーザは、タッチパネル15を操作することにより、上記画像データを保存するファイル形式、解像度、色情報を自ら指定することもできる。しかし、本発明の画像読取装置10において、タッチパネル15は必須の構成要素ではなく、ユーザは、例えばUSBケーブル等でこの画像読取装置10と接続されているパーソナルコンピュータ16から、このファイル形式等の指定を行うことも出来る。
【００２６】
図2は、この指定を行う際の、タッチパネル15またはパーソナルコンピュータ16のモニタの表示の一例である。メッセージ21は、ユーザが上記ファイル形式、解像度、色調を指定できる旨を表示している。例えば、ユーザがファイル形式ボタン22で「pdf」を、解像度ボタン23で「600dpi」を、色調ボタン24で「monotone」を選択し、ボタン25「指定」をタッチまたはクリックしたとする。すると保存手段14は、上記画像データを、「pdf形式、解像度600dpi、monotone」に設定されたディレクトリd1にのみ保存する。
【００２７】
ここで、ユーザが図2のボタン22、23、24で「bmp」「500dpi」「sepia」を選択し、ボタン25「指定」をタッチまたはクリックしたとする。図1に示すように、記録媒体36のディレクトリDにはbmp形式に設定されたディレクトリが存在しない。この場合、保存手段14は、上記画像データを、「解像度500dpi、色調sepia」のbmpファイル形式として、記録媒体36に保存する。
【００２８】
なお、この場合において、保存手段14が、bmpファイル形式のディレクトリを新たに記録媒体36内に作成し、このディレクトリ内に上記画像データをbmpファイルf1として保存するよう、この保存手段14をプログラミングすることもできる。
【００２９】
以上のように、本発明の画像読取装置10は、記録媒体36の装着を検知して自動的に原稿の読取を開始するため、ユーザの操作が簡略化できる。そして、記録媒体36内の既存のディレクトリに画像データが自動的に保存されるほか、ユーザが指定するファイル形式の設定されたディレクトリがない場合には、このディレクトリを記録媒体36内に作成して、画像データの保存を自動的に行える。従って、従来のような、毎回原稿を読取るたびに、ユーザが記録媒体36のディレクトリ構成を確認し、画像データのファイル形式を指定して原稿の読取を行うという作業を省略することが可能となるのである。
【００３０】
なお、以上において記録媒体36がUSBストレージであるとして説明したが、これは一例であって、例えば、CD-RやDVD-Rなどであってもよい。
【産業上の利用可能性】
【００３１】
本発明にかかる画像読取装置は、ユーザが記録媒体内のディレクトリ構成を確認する手間が省略でき、既存のファイル形式若しくは指定したファイル形式により、簡易かつ迅速に読取った画像データの保存をすることが可能である。従って、スキャナや複写機等の画像読取装置として有用である。
【図面の簡単な説明】
【００３２】
【図１】本発明の画像読取装置のブロック構成図。
【図２】ファイル形式を指定する際のタッチパネルの表示の一例。
【図３】従来の画像読取装置のブロック構成図。
【図４】ファイル形式を選択する際の従来のタッチパネルの表示の一例。
【符号の説明】
【００３３】
10  画像読取装置
11  起動手段
12  装着手段
13  検出手段
14  保存手段
15  タッチパネル
16  パーソナルコンピュータ
31  タッチパネル
32  選択手段
33  装着手段
34  開始手段
35  読取手段
36  記録媒体
D  ディレクトリ
【図１】
2008034903.tif 000003
【図２】
2008034903.tif 000004
【図３】
2008034903.tif 000005
【図４】
2008034903.tif 000006